(57)【要約】【課題】上りリンクパケットデータサービスを支援する移動通信システムにおける端末機の上りリンクデータの送信をスケジューリングする方法及び装置を提供する。【解決手段】１つの最適基地局及び少なくとも１つの非最適基地局は、ソフトハンドオーバー領域に位置した端末機の活性集合内に含まれる。端末機は、最適基地局から専用スケジューリング割当てによる専用スケジューリング許容情報と、少なくとも１つの非最適基地局から共通スケジューリング割当てによる少なくとも１つの共通スケジューリング許容情報とを受信し、共通スケジューリング許容情報が送信率の減少を示す場合に、あらかじめ決定された有効区間の間に、上りリンクデータ送信率が以前の上りリンクデータ送信率を超過しないように制御し、制御された上りリンクデータ送信率で最適基地局及び非最適基地局へ上りリンクデータを送信する。【選択図】図５
2006135985.tif 000002
【特許請求の範囲】
【請求項１】
上りリンクパケットデータサービスを支援する移動通信システムにおける端末機の上りリンクデータの送信をスケジューリングする方法であって、
ソフトハンドオーバーによって、１つの最適基地局及び少なくとも１つの非最適基地局と通信する間に、前記最適基地局から専用スケジューリング割当てによる専用スケジューリング許容情報を受信し、前記少なくとも１つの非最適基地局から共通スケジューリング割当てによる少なくとも１つの共通スケジューリング許容情報を受信するステップと、
前記共通スケジューリング許容情報が上りリンクデータ送信率の減少を示すと、あらかじめ決定されている有効区間の間に、前記上りリンクデータ送信率が以前の上りリンクデータ送信率を超過しないように制御するステップと、
前記制御された上りリンクデータ送信率で上りリンクデータを送信するステップと
を具備することを特徴とする方法。
【請求項２】
前記上りリンクデータと共に送信された制御情報は、送信率要求ビットを具備し、前記制御するステップは、前記送信率要求ビットを送信率の増加ではない値に設定するステップを具備することを特徴とする請求項１記載の方法。
【請求項３】
前記有効区間は、
前記上りリンクデータを送信する送信時間区間（ＴＴＩ）の長さに従って決定されることを特徴とする請求項１記載の方法。
【請求項４】
前記共通スケジューリング許容情報は、
前記少なくとも１つの非最適基地局の上りリンク資源がオーバーロードされたか否かを示すオーバーロードビットを具備することを特徴とする請求項１記載の方法。
【請求項５】
前記共通スケジューリング許容情報が送信率の減少を示さない場合に、前記専用スケジューリング許容情報に従って前記上りリンクデータ送信率を決定し、前記決定された上りリンクデータ送信率で前記上りリンクデータを送信するステップをさらに具備することを特徴とする請求項１記載の方法。
【請求項６】
前記共通スケジューリング許容情報が送信率の減少を示さない場合に、前記上りリンクデータと共に送信された制御情報に含まれる送信率要求ビットを前記端末機の状態に従って設定することを特徴とする請求項５記載の方法。
【請求項７】
前記端末機の無線資源を制御する無線網制御器（ＲＮＣ）から無線資源制御（ＲＲＣ）シグナリングによって前記有効区間を示す情報を前記端末機が受信するステップをさらに具備することを特徴とする請求項１記載の方法。
【請求項８】
上りリンクパケットデータサービスを支援する移動通信システムにおける基地局で端末機の上りリンクデータの送信をスケジューリングする方法であって、
専用スケジューリングによってソフトハンドオーバー領域に位置した端末機へ専用スケジューリング許容情報を送信するステップと、
前記専用スケジューリング許容情報を送信した後に、前記端末機から上りリンクデータを受信するステップと、
前記受信された上りリンクデータ送信率が前記専用スケジューリング許容情報で示されたデータ送信率よりも小さいと、あらかじめ決定されている有効区間の間に、前記上りリンクデータ送信率が以前の上りリンクデータ送信率を超過しないように制御するステップと、
前記制御された上りリンクデータ送信率を示す専用スケジューリング許容情報を前記端末機へ送信するステップと
を具備することを特徴とする方法。
【請求項９】
前記有効区間は、
前記上りリンクデータを送信する送信時間区間（ＴＴＩ）の長さに従って決定されることを特徴とする請求項８記載の方法。
【請求項１０】
基地局アプリケーションプロトコル（ＮＢＡＰ）シグナリングを介して前記端末機の無線資源を制御する無線網制御器（ＲＮＣ）から前記基地局が前記有効区間を示す情報を受信するステップをさらに具備することを特徴とする請求項８記載の方法。
【請求項１１】
上りリンクパケットデータサービスを支援する移動通信システムにおける端末機の上りリンクデータの送信をスケジューリングする装置であって、
ソフトハンドオーバー領域に関連した１つの最適基地局及び少なくとも１つの非最適基地局と、
前記ソフトハンドオーバー領域に位置し、前記最適基地局から専用スケジューリング割当てによる専用スケジューリング許容情報と、前記少なくとも１つの非最適基地局から共通スケジューリング割当てによる少なくとも１つの共通スケジューリング許容情報とを受信し、前記共通スケジューリング許容情報が送信率の減少を示す場合に、あらかじめ決定された有効区間の間に、上りリンクデータ送信率が以前の上りリンクデータ送信率を超過しないように制御し、前記制御された上りリンクデータ送信率で前記最適基地局及び前記非最適基地局へ上りリンクデータを送信する端末機と
を具備することを特徴とする装置。
【請求項１２】
前記上りリンクデータと共に送信された制御情報は、送信率要求ビットを具備し、前記端末機は、前記送信率要求ビットを送信率の増加ではない値に設定することを特徴とする請求項１１記載の装置。
【請求項１３】
前記有効区間は、
前記上りリンクデータを送信する送信時間区間（ＴＴＩ）の長さに従って決定されることを特徴とする請求項１１記載の装置。
【請求項１４】
前記共通スケジューリング許容情報は、
前記少なくとも１つの非最適基地局の上りリンク資源がオーバーロードされるか否かを示すオーバーロードビットを具備することを特徴とする請求項１１記載の装置。
【請求項１５】
前記端末機は、
前記共通スケジューリング許容情報が送信率の減少を示さない場合に、前記専用スケジューリング許容情報に従って前記上りリンクデータ送信率を決定し、前記決定された上りリンクデータ送信率で前記上りリンクデータを送信することを特徴とする請求項１１記載の装置。
【請求項１６】
前記端末機は、
前記共通スケジューリング許容情報が送信率の減少を示さない場合に、前記上りリンクデータと共に送信された制御情報に含まれる送信率要求ビットを前記端末機の状態に従って設定することを特徴とする請求項１５記載の装置。
【請求項１７】
前記端末機は、
前記端末機の無線資源を制御する無線網制御器（ＲＮＣ）から無線資源制御（ＲＲＣ）シグナリングによって前記有効区間に関する情報を受信することを特徴とする請求項１１記載の装置。
【発明の詳細な説明】
【技術分野】
【０００１】
本発明は、非同期広帯域符号分割多元接続（Wideband Code Division Multiple Access；以下、“ＷＣＤＭＡ”と称する。）通信に関し、特に、ソフトハンドオーバー領域に位置した端末機の上りリンクパケット伝送を效率的にスケジューリングする方法及び装置に関する。
【背景技術】
【０００２】
ヨーロッパ型移動通信システムである移動体通信用グローバルシステム（Global System for Mobile Communications；ＧＳＭ）及び一般パケットラジオサービス（General Packet Radio Services；ＧＰＲＳ）に基づき、広帯域（Wideband）符号分割多元接続（Code Division Multiple Access；以下、ＣＤＭＡと称する）を使用する第３世代移動通信システムであるユニバーサル移動体通信サービス（Universal Mobile Telecommunication Service；ＵＭＴＳ）システムは、移動電話又はコンピュータユーザが世界中のどこにいるかに関係なく、パケットに基づくテキスト、ディジタル化された音声又はビデオ、及びマルチメディアデータを２Ｍｂｐｓ以上の高速で送信することができる一貫したサービスを提供する。ＵＭＴＳは、インターネットプロトコル（Internet Protocol；ＩＰ）のようなパケットプロトコルを使用する“パケット交換方式の接続”と呼ばれる仮想接続の概念を使用し、ネットワーク内の他のどの端末でも常に接続することができる。
【０００３】
図１は、ＵＭＴＳシステムの無線接続ネットワーク（UMTS Terrestrial Radio Access Network；以下、ＵＴＲＡＮと称する）の構成を示す図である。
図１を参照すると、ＵＴＲＡＮ１２は、無線網制御器（Radio Network Controller；以下、ＲＮＣと称する）１６ａ及び１６ｂとＮｏｄｅ Ｂ  １８ａ、１８ｂ、１８ｃ、及び１８ｄとを含み、端末機（User Equipment；以下、ＵＥと称する）２０を基幹網（Core Network）１０に接続する。Ｎｏｄｅ Ｂ  １８ａ、１８ｂ、１８ｃ、及び１８ｄの下位には、複数のセルが存在することができ、各ＲＮＣ１６ａ及び１６ｂは、該当下位のＮｏｄｅ Ｂ  １８ａ、１８ｂ、１８ｃ、及び１８ｄを制御する。例えば、図１において、ＲＮＣ  １６ａは、Ｎｏｄｅ Ｂ  １８ａ及び１８ｂを制御し、ＲＮＣ  １６ｂは、Ｎｏｄｅ Ｂ  １８ｃ及び１８ｄを制御する。Ｎｏｄｅ Ｂ  １８ａ、１８ｂ、１８ｃ、及び１８ｄのそれぞれは、該当する下位のセルを制御する。１つのＲＮＣ及び上記ＲＮＣによって制御される該当Ｎｏｄｅ Ｂ及びセルは、無線網サブシステム（Radio Network Subsystem；以下、ＲＮＳと称する）１４ａ及び１４ｂを構成する。
【０００４】
ＲＮＣ  １６ａ及び１６ｂの各々は、自身が制御するＮｏｄｅ Ｂ  １８ａから１８ｄの無線資源を割り当てるか、又は、管理し、Ｎｏｄｅ Ｂ  １８ａから１８ｄは、無線資源を実際に提供する。Ｎｏｄｅ Ｂ  １８ａから１８ｄによって提供される無線資源は、自身が管理するセルの無線資源を意味する。ＵＥ  ２０は、特定のＮｏｄｅ Ｂの特定のセルが提供する無線資源を用いて無線チャンネルを構成して通信を遂行することができる。ＵＥ  ２０の立場では、Ｎｏｄｅ Ｂ  １８ａから１８ｄとセルとの間の区別は無意味であり、セルごとに構成される物理階層のみを認識するため、以下、“Ｎｏｄｅ Ｂ  １８ａから１８ｄ”及び“セル”は、同一の意味で使用される。
【０００５】
ＵＥ  ２０とＲＮＣ  １６ａ及び１６ｂとの間のインターフェースは、Ｕｕインターフェースと称され、その詳細な階層的な構成を図２に示す。
図２は、ＵＥと無線網制御器（ＲＮＣ）との間のインターフェースを示す階層的な構成を示す図である。Ｕｕインターフェースは、ＵＥ  ２０とＲＮＣ  １６ａ及び１６ｂとの間で制御信号を交換するために使用される制御プレーン（Control Plane）３０と実際のデータを送信するために使用されるユーザプレーン（User Plane）３２とに区分される。
【０００６】
図２を参照すると、制御プレーン（Ｃ-plane）シグナリング３０は、ＲＲＣ（Radio Resource Control）階層３４、ＲＬＣ（Radio Link Control）階層４０、ＭＡＣ（Media Access Control）階層４２、及び物理（Physical；以下、ＰＨＹと称する）階層４４を介して処理され、ユーザプレーン（U-plane）情報３２は、ＰＤＣＰ（Packet Data Control Protocol）階層３６、ＢＭＣ（Broadcast／Multicast Control）階層３８、ＲＬＣ階層４０、ＭＡＣ階層４２、ＰＨＹ階層４４を介して処理される。ここに示した階層中、ＰＨＹ階層４４は、各セルに位置し、ＭＡＣ階層４２からＲＲＣ階層３４まではＲＮＣに位置する。
【０００７】
ＰＨＹ階層４４は、無線送信（Radio Transfer）技術を用いた情報送信サービスを提供し、ＯＳＩ（Opening Systems Interconnection）モデルの第１の階層（Ｌ１）に該当する。ＰＨＹ階層４４とＭＡＣ階層４２との間は、送信チャンネル（Transport Channels）によって接続され、送信チャンネルは、特定のデータがＰＨＹ階層４４で処理される方式に従って定義される。
【０００８】
ＭＡＣ階層４２は、論理チャンネルを介してＲＬＣ階層４０に接続される。ＭＡＣ階層４２は、論理チャンネルを介してＲＬＣ階層４０から受信されたデータを適切な送信チャンネルを介してＰＨＹ階層４４へ送信し、ＰＨＹ階層４４から送信チャンネルを介して受信されたデータを適切な論理チャンネルを介してＲＬＣ階層４０へ送信する。また、ＭＡＣ階層４２は、論理チャンネル又は送信チャンネルを介して受信されたデータに付加情報を挿入するか、又は、データに挿入された付加情報を解析し、上記解析された付加情報に従って適切な動作を遂行する。また、ＭＡＣ階層４２は、ランダムアクセス動作を制御する。このようなＭＡＣ階層４２で、ユーザプレーン３２に関連した部分は、ＭＡＣ−ｄと称され、制御プレーン３０に関連した部分は、ＭＡＣ−ｃと称される。
【０００９】
論理チャンネルの設定解除を担当するＡＭＵＭ及びＴＭというモードのうちの１つで動作することができ動作モードごとに相互に異なる機能を提供する一般に、上位階層から提供されたータユニット以下、ＳＤＵと称するを適切な大きさに分割するか、又は、組み立てる機能誤り訂正機能を遂行する
【００１０】
ユーザプレーンの上位階層に位置し、の形態で送信されたヘッダーを圧縮して復元する機能及び特定のＵＥに移動性を提供する変更される状況で無損失送信機能を有する
【００１１】
ＰＨＹ階層と上位階層との間を接続する送信チャンネルの特性は、畳込みチャンネル符号化インターリービング、サービス固有送信率整合のような物理階層処理過程を規定している送信形式ＴＦによって決定される
【００１２】
特に、ＵＭＴＳシステムは、ＵＥから基地局への上りリンク通信において、パケット伝送の性能をより向上させるように、拡張された上りリンク専用チャンネル（Enhanced Uplink Dedicated Channel；以下、Ｅ−ＤＣＨと称する）を使用する。Ｅ−ＤＣＨは、より安定した高速のデータ伝送を支援するために、複合自動再送信要求（Hybrid Automatic Retransmission Request；ＨＡＲＱ）及び基地局制御スケジューリング（Node B controlled scheduling）のような技術を支援する。
【００１３】
図３は、無線リンクでのＥ−ＤＣＨを介した典型的なデータ送信を示す概念図である。参照符号１００は、Ｅ−ＤＣＨ１１１，１１２，１１３，１１４を支援する基地局を示し、参照符号１０１，１０２，１０３，１０４は、Ｅ−ＤＣＨ１１１，１１２，１１３，１１４を送信するＵＥを示す。
【００１４】
図３を参照すると、基地局１００は、Ｅ−ＤＣＨを使用するＵＥ１０１〜１０４のチャンネル状態を把握し、そのチャンネル状態に基づいて、各ＵＥ１０１〜１０４のデータ送信をスケジューリングする。上記スケジューリングは、システム全体の性能を高めるために、基地局１００の測定雑音増加（Noise Rise Measurment）値が目標値を超えないようにしながら、基地局１００から遠く位置したＵＥ１０４には低いデータ送信率を割り当て、基地局に近く位置したＵＥ１０１には、高いデータ送信率を割り当てる方式にて遂行する。
【００１５】
図４は、典型的なＥ−ＤＣＨを通した送受信の手順を示すメッセージフローチャートである。
図４は、Ｅ−ＤＣＨを介したメッセージ送信のための典型的な信号フローを示す図である。
図４を参照すると、ステップ２０２で、Ｎｏｄｅ Ｂ及びＵＥは、それらの間にＥ−ＤＣＨを設定する。Ｅ−ＤＣＨ設定ステップ２０２は、専用送信チャンネル（dedicated transport channel）を介してメッセージを送信するステップを含む。Ｅ−ＤＣＨの設定後に、ステップ２０４で、ＵＥは、基地局へスケジューリング情報を送信する。上記スケジューリング情報は、上りリンクチャンネル情報を示すＵＥの送信電力情報、ＵＥが送信することができる余分の電力に関する情報、及びＵＥのバッファに貯蔵されている送信データの量を含むことができる。
【００１６】
ステップ２０６で、基地局は、各ＵＥに対する上りリンクデータの送信をスケジューリングするために、複数のＵＥから受信されたスケジューリング情報をモニタリングする。具体的に、ステップ２０８で、Ｎｏｄｅ Ｂは、ＵＥに上りリンクパケットの送信を許容することに決定し、ＵＥにスケジューリング割当て（Scheduling Assignment）情報を送信する。上記スケジューリング割当て情報は、許容された最大のデータ送信率を示す絶対グラント（absolute grant；ＡＧ）、又は、以前の許容された最大のデータ送信率に対して、上記許容された最大のデータ送信率の増加／減少／保持を示す相対グラント（relative grant；ＲＧ）がある。このとき、上記ＡＧ又はＲＧは、各ＵＥに使用される専用シグナリング（dedicated signaling）によって送信されるか、あるいは、１つ以上のＵＥグループ又は１つのセル内のすべてのＵＥに共通シグナリング（common signaling）によって送信される。
【００１７】
ステップ２１０で、ＵＥは、上記スケジューリング割当情報に基づいて、上記許容された最大のデータ送信率内のＥ−ＤＣＨのＴＦを決定し、ステップ２１４で、Ｅ−ＤＣＨを介して上りリンクパケットデータを伝送すると同時に、ステップ２１２で、上記ＴＦ情報を基地局へ送信する。ステップ２１６で、基地局は、上記ＴＦ情報及び上記上りリンクパケットデータにエラーがあるか否かを判断する。ステップ２１８で、基地局は、上記判断の結果、いずれか１つでもエラーが発生した場合に、ＡＣＫ／ＮＡＣＫチャンネルを介してＵＥへ否定応答（Non-Acknowledge；ＮＡＣＫ）を送信する。一方、上記ＴＦ情報及び上記上りリンクパケットデータのすべてにエラーがない場合には、肯定応答（Acknowledge；ＡＣＫ）をＡＣＫ／ＮＡＣＫチャンネルを介してＵＥへ送信する。
【００１８】
ＡＣＫが送信される場合に、該当パケットデータの送信が完了され、ＵＥは、新たなパケットデータをＥ−ＤＣＨを介して基地局へ送信する。一方、ＮＡＣＫが送信される場合に、ＵＥは、同一のパケットデータをＥ−ＤＣＨを介して基地局へ再送信する。
【００１９】
上述したＥ−ＤＣＨは、送信チャンネルのパケット送信性能を向上させるために開発されたものであるので、専用チャンネルの基本的な特性を有する。上記特性のうちの１つは、ソフトハンドオーバーを支援するものである。すなわち、ソフトハンドオーバー領域にあるＵＥは、活性集合（Active set）内の基地局のすべてからダウンリンク情報を受信することができる。従って、上記ＵＥは、Ｅ−ＤＣＨを送信するために、活性集合に属している基地局のすべてからスケジューリング割当情報を受信する。このとき、ＵＥは、活性集合に属している基地局からそれぞれ異なるスケジューリング割当情報を受信することができるので、上記相互に異なるスケジューリング割当情報を使用してＥ−ＤＣＨを送信するか否かを決定する必要がある。
【００２０】
上述したように、従来技術のＥ−ＤＣＨを支援する通信システムでは、上りリンクデータの送信スケジューリングのために、活性集合内のすべての基地局がソフトハンドオーバー領域にあるＵＥへスケジューリング割当情報を送信する。従って、下りリンクチャンネルのコード資源、又は、送信電力の資源側面でオーバーヘッドが発生し、上記複数のスケジューリング割当情報を受信するＵＥがＥ−ＤＣＨ送信を決定することが難しい、という問題点があった。
【発明の開示】
【発明が解決しようとする課題】
【００２１】
上記背景に鑑みて、本発明の目的は、移動通信システムにおいて、ソフトハンドオーバー領域に位置したＵＥが使用するＥ−ＤＣＨ送信を效率的にスケジューリングするための方法及び装置を提供することにある。
【００２２】
本発明の他の目的は、ソフトハンドオーバー領域に位置したＵＥが活性集合内の最適の基地局ではない基地局を考慮して上りリンクデータの送信をスケジューリングする方法及び装置を提供することにある。
【００２３】
本発明のまた他の目的は、ソフトハンドオーバー領域に位置したＵＥが、活性集合内の基地局から受信されたスケジューリング割当情報を使用して上りリンクパケット送信のデータ送信率を決定する方法及び装置を提供することにある。
【００２４】
本発明のさらなる目的は、ソフトハンドオーバー領域に位置したＵＥが、ＲＮＣから非最適基地局のスケジューリング割当情報が有効であるか否かを示す区間情報を受信する方法及び装置を提供することにある。
【００２５】
本発明のなお他の目的は、ソフトハンドオーバー領域に位置した最適基地局が、ＲＮＣから非最適基地局のスケジューリング割当情報が有効であるか否かを示す区間情報を受信する方法及び装置を提供することにある。
【課題を解決するための手段】
【００２６】
このような目的を達成するために、本発明の１つの特徴によれば、上りリンクパケットデータサービスを支援する移動通信システムにおけるＵＥの上りリンクデータの送信をスケジューリングする方法は、ソフトハンドオーバーによって、１つの最適基地局及び少なくとも１つの非最適基地局と通信する間に、前記最適基地局から専用スケジューリング割当てによる専用スケジューリング許容情報を受信し、前記少なくとも１つの非最適基地局から共通スケジューリング割当てによる少なくとも１つの共通スケジューリング許容情報を受信するステップと、前記共通スケジューリング許容情報が上りリンクデータ送信率の減少を示すと、あらかじめ決定されている有効区間の間に、前記上りリンクデータ送信率が以前の上りリンクデータ送信率を超過しないように制御するステップと、前記制御された上りリンクデータ送信率で上りリンクデータを送信するステップとを含むことを特徴とする。
【００２７】
本発明の他の１つの特徴によれば、上りリンクパケットデータサービスを支援する移動通信システムにおける基地局でＵＥの上りリンクデータの送信をスケジューリングする方法は、専用スケジューリングによってソフトハンドオーバー領域に位置したＵＥへ専用スケジューリング許容情報を送信するステップと、前記専用スケジューリング許容情報を送信した後に、前記ＵＥから上りリンクデータを受信するステップと、前記受信された上りリンクデータ送信率が前記専用スケジューリング許容情報で示されたデータ送信率よりも小さいと、あらかじめ決定されている有効区間の間に、前記上りリンクデータ送信率が以前の上りリンクデータ送信率を超過しないように制御するステップと、前記制御された上りリンクデータ送信率を示す専用スケジューリング許容情報を前記ＵＥへ送信するステップとを含むことを特徴とする。
【００２８】
本発明のまた他の１つの特徴によれば、上りリンクパケットデータサービスを支援する移動通信システムにおけるＵＥの上りリンクデータの送信をスケジューリングする装置は、ソフトハンドオーバー領域に関連した１つの最適基地局及び少なくとも１つの非最適基地局と、前記ソフトハンドオーバー領域に位置し、前記最適基地局から専用スケジューリング割当てによる専用スケジューリング許容情報と、前記少なくとも１つの非最適基地局から共通スケジューリング割当てによる少なくとも１つの共通スケジューリング許容情報を受信し、前記共通スケジューリング許容情報が送信率の減少を示す場合に、あらかじめ決定された有効区間の間に、上りリンクデータ送信率が以前の上りリンクデータ送信率を超過しないように制御し、前記制御された上りリンクデータ送信率で前記最適基地局及び前記非最適基地局へ上りリンクデータを送信するＵＥとを含むことを特徴とする。
【発明の効果】
【００２９】
本発明の実施形態は、ソフトハンドオーバー領域に位置したＵＥが非最適基地局のオーバーロードを示す共通スケジューリング許容情報を受信する場合に、あらかじめ決定された有効区間の間の上りリンクデータ送信率が増加されないようにし、これによって、全体の移動通信システムの効率を向上させる、という長所を有する。
【発明を実施するための最良の形態】
【００３０】
以下、本発明の好適な一実施形態を添付図面を参照しつつ詳細に説明する。下記の説明において、本発明の要旨のみを明瞭にする目的で、関連した公知の機能又は構成に関する具体的な説明は省略する。
【００３１】
本発明の主な要旨は、移動通信システムにおいて、拡張された上りリンクパケットデータサービスを提供するもので、ソフトハンドオーバー領域に位置したＵＥの上りリンクデータの送信をスケジューリングすることにある。
【００３２】
ソフトハンドオーバー地域に位置したＵＥと、ＵＥと他のＵＥとの上りリンクパケットデータの送信をスケジューリングするための最適スケジューリング基地局（primary scheduling Node B）（または、最適基地局（serving Node B））と、ＵＥの活性集合（ACTIVE SET）に含まれた最適基地局ではない非最適スケジューリング基地局（non-primary scheduling Node B）（または、非最適基地局（non-serving Node B））とが開示される。上記ソフトハンドオーバー領域に位置した端末機は、上記最適基地局及び上記非最適スケジューリングから受信されたスケジューリング割当情報に基づいて、上りリンクパケットデータを送信する。
【００３３】
上述したように、ソフトハンドオーバー領域に位置したＵＥは、最適基地局及び少なくとも１つ以上の非最適基地局からスケジューリングに関連したシグナリングによって、スケジューリング割当情報を受信する。このとき、ＵＥに対する最適基地局のスケジューリング方式と非最適基地局のスケジューリング方式とが相互に異なる。すなわち、上記最適基地局は、専用チャンネル（すなわち、専用シグナリング）を介してＵＥへスケジューリング割当情報を送信し、一方、非最適基地局は、共通チャンネル（すなわち、共通シグナリング）を介してＵＥへスケジューリング割当情報を送信する。上記専用シグナリング及び上記共通シグナリングによるスケジューリングについては、下記で詳細に説明する。
【００３４】
図５は、本発明の望ましい実施形態によるソフトハンドオーバー領域に位置したＵＥのスケジューリングを示す図である。
図５を参照すると、第１及び第２のＵＥ５０４及び５０５（ＵＥ１及びＵＥ２）は、ソフトハンドオーバー領域に位置する。ここで、ＵＥ１は、第１及び第２の基地局５０１及び５０２（ＮｏｄｅＢ１及びＮｏｄｅＢ２）を含む活性集合を管理する。第１の基地局５０１は、ＵＥ１の最適基地局である。ＵＥ２は、第２及び第３の基地局５０２及び５０３（ＮｏｄｅＢ２及びＮｏｄｅＢ３）を含む活性集合を管理し、第３の基地局５０３は、ＵＥ２の最適基地局である。
【００３５】
このとき、基地局５０１、基地局５０２、及び基地局５０３は、ＵＥの状態に従ってＵＥ１及びＵＥ２に対するアップリンクデータ送信をスケジューリングする。このために、ＵＥ１及びＵＥ２は、アップリンクを介してＵＥの状態情報を送信する。一般的に、ＵＥの状態情報は、上りリンクパケットデータが存在するか否かに無関係に、Ｅ−ＤＣＨがマッピングされる拡張された専用物理データチャンネル（Enhanced-Dedicated Physical Data Channel；以下、‘Ｅ−ＤＰＤＣＨ’と称する）を介して送信される情報と、上りリンクパケットデータが存在する場合に、Ｅ−ＤＣＨの制御情報を送信する拡張された専用物理制御チャンネル（Enhanced-Dedicated Physical Control Channel；以下、‘Ｅ−ＤＰＣＣＨ’と称する。）を介して送信される情報とがある。
【００３６】
ここで、上記Ｅ−ＤＰＤＣＨのＵＥの状態情報は、バッファ状態情報及び送信電力状態（transmit power status；ＴＰＳ）情報がある。上記バッファ状態情報及び送信電力情報は、上記Ｅ−ＤＣＨのＭＡＣ−ｅプロトコルデータユニット（Protocol Data Unit；以下、ＰＤＵと称する）、すなわち、ＭＡＣ−ｅシグナリング方法を用いて基地局へ送信されることができる。
【００３７】
一方、上りリンクパケットデータが存在する場合に、Ｅ−ＤＰＣＣＨを介して送信されるＵＥの状態情報は、送信率要求情報である。上記Ｅ−ＤＰＣＣＨは、送信フォーマットインジケータ（Transport Format Indicator；ＴＦＩ）、再送信シーケンスナンバー、サービス品質（Quality of Service；以下、‘ＱｏＳ’と称する）、及びＥ−ＤＰＤＣＨデータの電力ブースト（Power Boost）情報をさらに送信する。
【００３８】
このとき、上記送信率要求情報は、１ビット又はそれ以上のビットからなり、ＵＥは、上記送信率要求情報を用いて、次の送信データに対する送信率を最適基地局に要求する。例えば、１つの送信率要求ビットを用いる場合に、上記送信率要求ビットが“１”に設定されると、送信率の増加（ＵＰ）を示す。一方、上記送信率要求ビットが“０”に設定されると、送信率を増加させる必要がないことを示す。すなわち、送信率要求ビットが‘ＵＰ’に設定されると、ＵＥは、最適基地局の基地局スケジューラー（Node B Scheduler）に次のＥ−ＤＣＨ送信のためのさらに高いデータ送信率を要求することを意味し、上記送信率要求ビットが‘ＵＰ’に設定されないと、ＵＥは、現在のデータ送信率に満足していることを意味する。
【００３９】
基地局５０１、基地局５０２、及び基地局５０３は、次の送信時間区間（Transmission Time Interval；以下、ＴＴＩと称する）で上りリンクデータの送信を許容するか否かを決定する。また、ＵＥ１及びＵＥ２から受信されたＵＥの状態情報及び使用可能な無線資源に基づいて、許容された最大のデータ送信率を決定する。すると、第１及び第３の基地局５０１及び５０３は、専用シグナリングを用いて、上記許容された最大のデータ送信率をＵＥ１及びＵＥ２へ通知し、一方、第２の基地局５０２は、共通シグナリングを用いて上記スケジューリング結果をＵＥ１及びＵＥ２へ通知する。このとき、第２の基地局５０２が管理するセルの上りリンク資源状況がよくない場合に、基地局は、ＵＥ１及びＵＥ２へ上記上りリンク資源のオーバーロード（overload）を通知する。すなわち、第２の基地局５０２は、第２の基地局５０２を非最適基地局として設定したＵＥ１及びＵＥ２へデータ送信率の減少命令を送信する。
【００４０】
さらに具体的に説明すると、第１の基地局５０１は、許容された最大のデータ送信率を示す専用スケジューリング許容情報（Dedicated Scheduling Grants）５０６をＵＥ１へ送信し、第３の基地局５０３も、許容された最大のデータ送信率を示す専用スケジューリング許容情報５０７をＵＥ２へ送信する。一方、非最適基地局である第２の基地局５０２は、共通スケジューリング許容情報（Common Scheduling Grant）５０８をＵＥ１及びＵＥ２へ送信する。共通スケジューリング許容情報５０８は、ＵＥ１及びＵＥ２にデータ送信率の共通的な変化を示す。従って、ＵＥ１及びＵＥ２のそれぞれは、専用スケジューリング許容情報５０６又は５０７及び共通スケジューリング許容情報５０８に基づいて、Ｅ−ＤＣＨのＴＦを決定し、上記Ｅ−ＤＰＤＣＨ及びＥ−ＤＰＣＣＨを介して上りリンクデータ及び上記上りリンクデータのＴＦ情報を送信する。
【００４１】
以上のように、ソフトハンドオーバー領域に位置したＵＥは、Ｅ−ＤＰＣＣＨ又はＭＡＣ−ｅシグナリングを用いて、ＵＥの状態情報を活性集合内の基地局へ送信する。すると、該当基地局は、ＵＥの状態情報に基づいて、ＵＥに対する上りリンクデータの送信をスケジューリングする。このとき、ＵＥは、最適基地局からの専用スケジューリング許容情報及び非最適基地局からの共通スケジューリング許容情報に基づいて、Ｅ−ＤＣＨのＴＦを決定する。
【００４２】
下記に説明する実施形態は、ＵＥが最適基地局からの専用スケジューリング許容情報外に、少なくとも１つの非最適基地局から共通スケジューリング許容情報を受信する場合に、上記共通スケジューリング許容情報を処理する方式に関連する。
【００４３】
第１実施形態
ソフトハンドオーバー領域に位置したＵＥは、最適基地局から専用スケジューリング許容情報を受信し、非最適基地局から共通スケジューリング許容情報としてオーバーロードビット（overload bit）を受信する。上記オーバーロードビットが“０”である場合に、ＵＥは、上記専用スケジューリング許容情報に基づいて、上りリンクデータ送信率を決定する。しかしながら、上記オーバーロードビットが“１”である場合に、ＵＥは、あらかじめ決定されている有効区間の間に、上記上りリンクデータ送信率を増加させない。
【００４４】
すなわち、上記非最適基地局からオーバーロードビットを受信したＵＥは、上記最適基地局から受信された専用スケジューリング許容情報に基づいて動作する代わりに、上記非最適基地局からオーバーロードビットを考慮して動作する。具体的に、ＵＥは、送信率要求ビットを“ＵＰ”に設定しない。これは、次のＴＴＩの上りリンクデータ送信率が現在のＴＴＩのデータ送信率を超過しないようにするためである。上記送信率要求ビットが‘ＵＰ’に設定されない有効区間は、固定された値を使用するか、又は、ＲＮＣから提供を受けることができる。
【００４５】
図６は、本発明の第１実施形態によるＲＮＣとＵＥとの間の有効区間情報を送受信するシグナリングを示す図である。
図６を参照すると、ＲＮＣ６０３は、非最適基地局によって設定されたオーバーロードビットの有効区間を示す有効区間（validity duration）情報６０４を基地局６０２を介してＵＥ６０１へ送信する。すなわち、ＲＮＣ６０３は、ＵＥ６０１の活性集合内の非最適基地局により設定されたオーバーロードビット“１”が設定されたことを感知したＵＥ６０１へ上記オーバーロードビットに従う制限された動作を遂行するための時間を示す有効区間情報６０４を送信する。
【００４６】
このとき、ＲＮＣ６０３は、無線資源制御（Radio Resource Control；ＲＲＣ）シグナリングを使用して、有効区間情報６０４をＵＥ６０１へ送信する。また、ＵＥ６０１は、ソフトハンドオーバー領域に位置し、有効区間情報６０４から“１”に設定されたオーバーロードビットの有効区間を取得する。また、有効区間情報６０４は、ＵＥごとに異なって設定されるか、又は、非最適基地局ごとに異なって設定されることができる。本発明の実施形態によると、有効区間情報６０４は、上りリンクデータのＱｏＳ、現在のデータ送信率、又は、ＵＥの状態情報に従って設定される。
【００４７】
上述したように、“１”に設定されたオーバーロードビットの有効区間情報６０４を受信したＵＥ６０１は、有効区間情報６０４に従う有効区間の間の最適の送信率で上りリンクデータを送信するものではなく、制限された動作を遂行する。上記制限された動作については、図７を参照して説明する。
【００４８】
図７は、本発明の第１実施形態によるＵＥが有効区間情報に基づいた上りリンクデータ送信率を決定する動作を示すフローチャートである。
図７を参照すると、ステップ７０１で、ＵＥは、ソフトハンドオーバー領域に位置し、ステップ７０２で、ＲＲＣシグナリングを用いてＲＮＣから非最適基地局が設定したオーバーロードビットに関連した有効区間情報を受信する。本発明の他の実施形態によると、ＵＥは、あらかじめ決定されている有効区間情報を内部のメモリから読み出すことができる。ステップ７０３で、ＵＥは、最適基地局から専用スケジューリング許容情報を受信し、非最適基地局から共通スケジューリング許容情報としてのオーバーロードビットを受信する。
【００４９】
ステップ７０４で、ＵＥは、上記オーバーロードビットが“１”に設定されるか否かを判断する。上記オーバーロードビットが“１”である場合に、ステップ７０５で、ＵＥは、タイマーＴを上記有効区間情報に従う有効区間ＶＤに設定して始動した後に、ステップ７０６へ進行する。ここで、上記有効区間は、Ｅ−ＤＣＨのＴＴＩの倍数である。上記有効区間の間に、上記非最適基地局の上りリンク資源を十分に使用可能であるようにする。一方、上記オーバーロードビットが“１”に設定されない場合に、すなわち、上記非最適基地局がオーバーロードされないことを感知すると、ＵＥは、ステップ７０６へすぐに進行する。
【００５０】
ステップ７０６で、ＵＥは、上記タイマー値Ｔが０よりも大きいか否かを判断する。上記タイマー値Ｔが０よりも大きい場合に、ＵＥは、ステップ７０７で、上記タイマー値Ｔを１だけ減少させ、ステップ７０９で、あらかじめ決定されている方式にて、Ｅ−ＤＣＨを介して上りリンクデータを送信する。具体的に、上記Ｅ−ＤＣＨのデータ送信率は、以前のＴＴＩのＥ−ＤＣＨのデータ送信率に比べて、１レベル小さいように設定されるか、又は、上記非最適基地局の上りリンク資源をこれ以上増加させない程度に制御される。ステップ７０９で、ＵＥは、非最適基地局の上りリンク資源がオーバーロード状態にあることを認知しているので、上記Ｅ−ＤＣＨの送信率を以前のＥ−ＤＣＨの送信率を超過しないように設定する。ここで、以前のＥ−ＤＣＨの送信率とは、上記オーバーロードビットが受信される時点でのデータ送信率を意味する。
【００５１】
また、ステップ７０９で、ＵＥは、Ｅ−ＤＣＨに関連した制御情報を伝達するＥ−ＤＰＣＣＨを介して上記上りリンクデータに関するＴＦ情報を送信する。このとき、ＵＥは、他の状態情報を無視し、無条件に上記Ｅ−ＤＰＣＣＨを介して送信された送信率要求ビットを“ＵＰ”ではない値に設定する。上記送信率要求ビットを“ＵＰ”ではない値に設定することをすべてのＵＥが同一に遂行するか、あるいは、ＵＥの優先順位に従って、又は、ＲＮＣの設定に従って、相互に異なって設定するようにすることが可能である。また、上記有効区間は、ＭＡＣ−ｅシグナリングを制限するのに使用されることができる。上記ＭＡＣ−ｅシグナリングを使用すると、最適基地局がＵＥにさらに多くの資源を割り当てることができるとしても、他のＵＥは、それだけの資源を使用することができず、これによって、システム性能が低下される。従って、上記有効区間の間に、ＵＥは、上記ＭＡＣ−ｅシグナリングを制限することができる。
【００５２】
一方、ステップ７０６で、上記タイマー値Ｔが“０”と同一である場合に、ＵＥは、ステップ７１０で、上記専用スケジューリング許容情報に従ってＥ−ＤＣＨを介して上りリンクデータを送信する。すなわち、ステップ７１０で、ＵＥは、上記Ｅ−ＤＣＨの送信率を設定するにあたって、上記オーバーロードビットを無視し、上記専用スケジューリング許容情報のみを使用する。また、ＵＥは、上記Ｅ−ＤＰＣＣＨを介して送信された送信率要求ビットをＵＥの状態に従って、“ＵＰ”又は“ＵＰ”ではない値に設定する。
【００５３】
上述したように、本発明の第１実施形態では、活性集合内の非最適基地局がソフトハンドオーバー領域に位置したＵＥに共通スケジューリング許容情報としてオーバーロードビットを送信する。最適基地局は、専用スケジューリングシグナリングを用いて、ＵＥに上りリンク資源を割り当てる。すると、ＵＥは、上記オーバーロードビットに関連した有効区間情報に従って、上記非最適基地局の上りリンク資源を考慮して、Ｅ−ＤＣＨ送信率を選択し、上記選択されたＥ−ＤＣＨ送信率で上りリンクデータを送信する。
【００５４】
第２実施形態
ソフトハンドオーバー領域に位置したＵＥは、非最適基地局から共通スケジューリング許容情報としてオーバーロードビットを受信し、最適基地局から専用スケジューリング許容情報を受信して、上りリンク資源を割り当てる。このとき、上記オーバーロードビットが“１”に設定されない場合に、ＵＥは、現在の上りリンクデータが初期に送信されるか、あるいは、再送信されるかに従って、上記上りリンク資源を割り当てる。すなわち、上記非最適基地局がオーバーロードされ、上記上りリンクデータが初期に送信される場合に、ＵＥは、上記専用スケジューリング許容情報を無視し、送信率要求ビットを“ＵＰ”ではない値に設定する。
【００５５】
図８は、本発明の第２実施形態によるＵＥが有効区間情報に基づいた上りリンクデータを送信する動作を示すフローチャートである。ここで、ＵＥは、上記上りリンクデータ送信率を決定するにあたって、上記上りリンクデータが初期に送信されるか、あるいは、再送信されるかを考慮する。
【００５６】
図８を参照すると、ステップ８０１で、ＵＥは、ソフトハンドオーバー領域に位置する。ステップ８０２で、ＵＥは、最適基地局から専用スケジューリング許容情報を受信し、非最適基地局から共通スケジューリング割当情報としてオーバーロードビットを受信する。上記最適基地局及び上記非最適基地局は、ＵＥの活性集合内に属している。
【００５７】
ステップ８０３で、ＵＥは、上記オーバーロードビットが“１”に設定されるか否かを判断する。上記オーバーロードビットが“１”である場合に、ＵＥは、ステップ８０４で、次のＥ−ＤＣＨ送信のための送信率要求ビットをＥ−ＤＰＣＣＨの“ＵＰ”に設定しない。上記最適基地局が次のＥ−ＤＣＨ送信をスケジューリングするにあたって、ＵＥに対する上りリンク資源の制限的な割当ては、上記非最適基地局の上りリンク資源のオーバーロードを軽減させるためである。一方、ステップ８０３で、上記オーバーロードビットが“１”に設定されないと、ＵＥは、ステップ８０６へすぐに進行する。ステップ８０５で、ＵＥは、初期送信を待機するために、初期送信タグ（Tag）を“１”に設定する。
【００５８】
ステップ８０６で、現在の上りリンクデータを初期に送信する場合に、ＵＥは、上記初期送信タグが‘１’であるか否かを判断する。ステップ８０６の条件を満足すると、ステップ８０７で、ＵＥは、上記専用スケジューリング割当情報を無視し、あらかじめ決定された方式にて、Ｅ−ＤＣＨを介して上記上りリンクデータを送信する。ここで、上記あらかじめ決定された方式は、例えば、上記上りリンクデータ送信率を以前のデータ送信率に比べて１レベル小さく設定するか、又は、上記非最適基地局の上りリンク資源がこれ以上使用されないように、上記以前のデータ送信率を保持する動作を遂行する。
【００５９】
一方、ステップ８０６の条件を満足しない場合に、ＵＥは、ステップ８０８で、上記初期送信タグを“０”に設定する。すると、ステップ８０９で、ＵＥは、上記オーバーロードビットを無視し、上記専用スケジューリング許容情報に基づいて、上記Ｅ−ＤＣＨを介して上りリンクデータを送信する。すなわち、上記Ｅ−ＤＣＨのデータ送信率は、上記専用スケジューリング許容情報に従って決定される。また、上記Ｅ−ＤＰＣＣＨの送信率要求ビットは、ＵＥの状態に従って設定されることができる。
【００６０】
第３実施形態
ＵＥは、ソフトハンドオーバー領域に位置する。ＵＥは、活性集合内の非最適基地局から共通スケジューリング許容情報としてオーバーロードビットを受信し、活性集合内の最適基地局から専用スケジューリング許容情報を送信する。
【００６１】
上記オーバーロードビットが“０”である場合に、ＵＥは、上記専用スケジューリング許容情報に基づいて上りリンク資源を割り当てる。一方、上記オーバーロードビットが“１”である場合に、ＵＥは、次のような制限された方式にて動作する。
【００６２】
すなわち、上記非最適基地局のオーバーロードを示すオーバーロードビットが“１”に設定された状況を感知したＵＥは、送信率要求ビットを“ＵＰ”ではない値に設定し、最も近い未来に発生する初期送信において、あらかじめ決定された方式に従って動作する。例えば、ＵＥは、上記専用スケジューリング許容情報よりも１レベル低いデータ送信率を使用するか、又は、以前のデータ送信率よりも１レベル低いデータ送信率を使用する。
【００６３】
これに関連して、本発明の第３実施形態では、ＲＮＣが最適基地局にオーバーロードビットに対する有効区間を通知し、上記最適基地局は、上記有効区間の間に、ＵＥが上記専用スケジューリング許容情報よりも１レベル低いデータ送信率を使用するように、ＵＥの上りリンクデータの送信を制御する。従って、上記有効区間の間に、ＵＥの状態を考慮した比較的少ない上りリンク資源をＵＥに割り当てる。
【００６４】
図９は、本発明の第３実施形態によるＲＮＣと最適基地局との間の有効区間情報を送受信するシグナリングを示す図である。
図９を参照すると、ＲＮＣ９０２は、最適基地局９０１に非最適基地局によって設定されたオーバーロードビットの有効区間を示す有効区間情報９０３をシグナリングする。有効区間情報９０３は、基地局アプリケーションプロトコル（Node B Application Protocol；ＮＢＡＰ）シグナリングを介して送信される。このとき、ＲＮＣ９０２が最適基地局９０１を実際に制御するドリフトＲＮＣ（Drift RNC）ではない場合に、有効区間情報９０３は、ＲＮＳＡＰシグナリング及びＮＢＡＰシグナリングを介して送信される。
【００６５】
ここで、有効区間情報９０３は、各ＵＥ又は非最適基地局に従って異なって設定されることができる。本発明の他の実施形態によると、有効区間情報９０３は、ＱｏＳ、現在のデータ送信率、及びＵＥの状態情報に従って設定される。また、有効区間情報９０３は、ＵＥが活性集合内の非最適基地局を含むか、または、上記有効区間が変更される場合に送信されることができる。
【００６６】
図１０は、本発明の第３実施形態による有効区間情報を受信した最適基地局のスケジューリング動作を示すフローチャートである。
図１０を参照すると、ステップ１００１で、最適基地局は、上記最適基地局によってスケジューリングされたＵＥに対するオーバーロードビットに関連した有効区間情報をＲＮＣから受信する。他の場合に、上記最適基地局は、あらかじめ決定されている有効区間情報を内部のメモリから読み出す。ステップ１００２で、上記最適基地局は、ＵＥへ専用スケジューリング許容情報を送信し、ステップ１００３で、ＵＥからＥ−ＤＣＨを介して上りリンクデータを受信する。
【００６７】
ステップ１００４で、上記最適基地局は、上記専用スケジューリング許容情報によって割り当てられたデータ送信率を上記受信された上りリンクデータのデータ送信率と比較する。このとき、上記使用されたデータ送信率が上記割り当てられたデータ送信率よりも小さい場合に、ステップ１００５で、上記最適基地局は、上記最適基地局に隣接した非最適基地局から“１”に設定されたオーバーロードビットを受信したものと判断する。
【００６８】
ステップ１００６で、上記最適基地局は、タイマーＴを上記有効区間情報に設定された有効区間ＶＤに設定して始動した後に、ステップ１００７へ進行する。ステップ１００７で、上記最適基地局は、上記タイマー値Ｔが“０”よりも大きいか否かを判断する。上記タイマー値Ｔが“０”よりも大きい場合に、ステップ１００８で、上記最適基地局は、上記タイマー値Ｔを１だけ減少させ、ステップ１００９で、上記非最適基地局のオーバーロードを考慮して、他のＵＥに比べて、上記ＵＥに比較的少ない上りリンク資源を割り当てる。上記タイマー値Ｔが“０”と同一である場合に、上記最適基地局は、ＵＥに最適の上りリンク資源を割り当てる。すなわち、ステップ１０１１で、ＵＥの上りリンクデータ送信率を最大に保証する。
【００６９】
下記では、ソフトハンドオーバー領域に位置した複数のＵＥが相互に異なるＴＴＩを使用する場合のスケジューリング動作を説明する。
上記オーバーロードビットを受信した複数のＵＥのそれぞれに対して、有効区間を最大に同一に設定することが効率的である。従って、２ｍｓのＴＴＩを使用するＵＥと１０ｍｓのＴＴＩを使用するＵＥとがソフトハンドオーバー領域に共存する場合に、ＵＥに対する同一の有効区間を設定する必要がある。
【００７０】
例えば、上記ソフトハンドオーバー領域に位置したすべてのＵＥが２ｍｓのＴＴＩを使用する場合に、上記オーバーロードビットの送信区間は、２ｍｓ単位で設定され、また、上記オーバーロードビットの有効区間は、２ｍｓ単位で設定される。一方、ソフトハンドオーバー領域に２ｍｓのＴＴＩを使用するＵＥ及び１０ｍｓのＴＴＩを使用するＵＥが共存する場合に、これらＵＥは、上記ソフトハンドオーバー領域内の非最適基地局として、最適基地局から共通オーバーロードビットを受信する。このとき、上記オーバーロードビットが異なる時点で相互に異なるＴＴＩを使用するＵＥに送信されることができるので、ＵＥは、上記オーバーロードビットを受信するタイミングを新たに設定しなければならない。また、上記オーバーロードビットの有効区間も、新たに設定されなければならない。
【００７１】
本発明の実施形態において、ソフトハンドオーバー領域に２ｍｓのＴＴＩを使用するＵＥと１０ｍｓのＴＴＩを使用するＵＥとが共存する場合に、非最適基地局から送信されたオーバーロードビット送信区間を１０ｍｓで設定することが望ましい。これは、上記オーバーロードビット送信区間をこれらＵＥに共通に適用するためである。従って、上記有効区間は、１０ｍｓの倍数で設定される。
【００７２】
上記ソフトハンドオーバー領域内のＵＥごとに上記オーバーロードビット送信区間及び有効区間を多様な方式にて設定することができる。
一番目の方法は、相互に異なる２ｍｓのＴＴＩ及び１０ｍｓのＴＴＩを無視し、上記オーバーロードビット送信区間を常に１０ｍｓで設定する。従って、上記有効区間は、１０ｍｓの整数倍である。上記ソフトハンドオーバー領域内のすべてのＵＥが２ｍｓのＴＴＩのみを使用するとしても、上記オーバーロードビットは、１０ｍｓで送信される。
【００７３】
二番目の方法は、ＲＮＣが上記ソフトハンドオーバー領域に位置した個々のＵＥのＴＴＩを判断し、ＵＥ及び上記ソフトハンドオーバー領域に関連した基地局にオーバーロードビット送信区間を通知する。
【００７４】
図１１は、本発明の望ましい実施形態によって、ソフトハンドオーバー領域内の相互に異なるＴＴＩを使用するＵＥに有効区間情報を送信する信号フローを示す図である。ここでは、上記ソフトハンドオーバー領域に関連した１つの基地局１１０２及び上記ソフトハンドオーバー領域に位置した１つのＵＥ１１０１を示したが、図示していない基地局及びＵＥに対しては、同一の説明が適用される。ＵＥ１１０１及び基地局１１０２は、ＲＲＣシグナリング及びＮＢＡＰシグナリングを介して、ＲＮＣ１１０３からオーバーロードビット送信区間に関する情報を受信し、上記オーバーロード送信区間に基づいてオーバーロードビットを送受信し、上記オーバーロードビットの有効区間を変更する。
【００７５】
図１１を参照すると、ステップ１１０４で、ＵＥ１１０１は、ＲＲＣメッセージを介してＲＮＣ１１０３に報告する。ステップ１１０５で、ＲＮＣ１１０３は、ＵＥ１１０１を含む複数のＵＥから受信されたＴＴＩ情報に基づいて、上記ソフトハンドオーバー領域に位置した複数のＵＥに共通に適用されるオーバーロードビット送信区間を設定する。
【００７６】
ステップ１１０６で、ＲＮＣ１１０３は、ＮＢＡＰシグナリングを用いて上記オーバーロードビット送信区間の情報を基地局１１０２へ通知する。ステップ１１０８で、基地局１１０２は、上記オーバーロードビット送信区間を貯蔵し、上記オーバーロードビットの有効区間を上記オーバーロードビット送信区間の整数倍に設定する。ここで、基地局１１０２は、ＵＥ１１０１の活性集合に属している。
【００７７】
また、ステップ１１０７で、ＲＮＣ１１０３は、ＲＲＣシグナリングを用いて上記オーバーロードビット送信区間の情報をＵＥ１１０１へ通知する。ステップ１１０９で、ＵＥは、上記オーバーロードビット送信区間を貯蔵し、ステップ１１１０で、上記有効区間を上記オーバーロードビット送信区間の整数倍に設定する。
【００７８】
以上、本発明の詳細について具体的な実施の形態に基づき説明してきたが、本発明の範囲を逸脱しない限り、各種の変形が可能なのは明らかである。従って、本発明の範囲は、上記実施の形態に限定されるものではなく、特許請求の範囲の記載及び該記載と同等なものにより定められるべきである。
【図面の簡単な説明】
【００７９】
【図１】典型的なＵＭＴＳシステムにおけるＵＴＲＡＮの構成を概略的に示す図である。
【図２】ＵＥとＲＮＣとの間で定義されたインターフェースの階層構成を示す図である。
【図３】無線リンクを介した従来のＥ−ＤＣＨ送信を示す図である。
【図４】Ｅ−ＤＣＨ上のメッセージ送受信に対する従来の信号フローを示す図である。
【図５】本発明の望ましい実施形態によるソフトハンドオーバー領域に位置したＵＥのスケジューリング動作を示す図である。
【図６】本発明の第１実施形態によるＲＮＣとＵＥとの間の有効区間情報を送受信するシグナリングを示す図である。
【図７】本発明の第１実施形態によるＵＥが有効区間情報に基づいた上りリンクデータを送信する動作を示すフローチャートである。
【図８】本発明の第２実施形態によるＵＥが有効区間情報に基づいた上りリンクデータを送信する動作を示すフローチャートである。
【図９】本発明の第３実施形態によるＲＮＣと基地局との間の有効区間情報を送受信するシグナリングを示す図である。
【図１０】本発明の第３実施形態による有効区間情報を受信した基地局のスケジューリング動作を示すフローチャートである。
【図１１】本発明の望ましい実施形態によって、ソフトハンドオーバー領域内のＵＥのＴＴＩに従ってオーバーロードビット送信区間及び有効区間を設定する信号フロー及び関連したシステム動作を示す図である。
【符号の説明】
【００８０】
５０１      第１の基地局
５０２      第２の基地局
５０３      第３の基地局
５０４      第１の端末機（ＵＥ）
５０５      第２のＵＥ
６０１      ＵＥ
６０２      基地局
６０３      無線網制御器（ＲＮＣ）
９０１      最適基地局
９０２      ＲＮＣ
１１０１      ＵＥ
１１０２      基地局
１１０３      ＲＮＣ
【図１】
2006135985.tif 000003
【図２】
2006135985.tif 000004
【図３】
2006135985.tif 000005
【図４】
2006135985.tif 000006
【図５】
2006135985.tif 000007
【図６】
2006135985.tif 000008
【図７】
2006135985.tif 000009
【図８】
2006135985.tif 000010
【図９】
2006135985.tif 000011
【図１０】
2006135985.tif 000012
【図１１】
2006135985.tif 000013
【外国語明細書】
2006135985.tif 000014
2006135985.tif 000015
2006135985.tif 000016
2006135985.tif 000017
2006135985.tif 000018
2006135985.tif 000019
2006135985.tif 000020
2006135985.tif 000021
2006135985.tif 000022
2006135985.tif 000023
2006135985.tif 000024
2006135985.tif 000025
2006135985.tif 000026
2006135985.tif 000027
2006135985.tif 000028
2006135985.tif 000029
2006135985.tif 000030
2006135985.tif 000031
2006135985.tif 000032
2006135985.tif 000033
2006135985.tif 000034
2006135985.tif 000035
2006135985.tif 000036
2006135985.tif 000037
2006135985.tif 000038
2006135985.tif 000039
2006135985.tif 000040
2006135985.tif 000041
2006135985.tif 000042
2006135985.tif 000043